(57)【要約】【課題】表示デバイスにおける表示画像レベルによる色再現特性の変化を考慮して測色値を予測する。【解決手段】表示デバイスのデバイス制御値及び表示面積で定義される色再現特性把握用画像の測色値から、表示デバイスの表示画像レベル算出に用いる表示画像レベル算出用係数を算出する手段と、算出された表示画像レベル算出用係数と、デバイス制御値と、表示面積とから表示画像レベルを算出する手段と、デバイス制御値及び表示面積で定義される表示画像レベルの異なる表示画像レベル特性把握用画像を作成する手段と、表示画像レベル特性把握用画像の測色値から、表示画像レベルにおける色再現モデル係数を算出する手段と、算出された色再現モデル係数から、実測を行っていない表示画像レベルにおける色再現モデル係数を予測して出力する手段とを備えた。【選択図】図１
2009111739.tif 000002
【特許請求の範囲】
【請求項１】
表示デバイスのデバイス制御値及び表示面積で定義される色再現特性把握用画像の測色値から、前記表示デバイスの表示画像レベル算出に用いる表示画像レベル算出用係数を算出する表示画像レベル算出用係数算出手段と、
算出された前記表示画像レベル算出用係数と、前記デバイス制御値と、前記表示面積とから表示画像レベルを算出する表示画像レベル算出手段と、
前記デバイス制御値及び前記表示面積で定義される前記表示画像レベルの異なる表示画像レベル特性把握用画像を作成する画像準備手段と、
前記表示画像レベル特性把握用画像の測色値から、前記表示画像レベルにおける色再現モデル係数を算出する色再現モデル係数算出手段と、
算出された前記色再現モデル係数から、実測を行っていない表示画像レベルにおける色再現モデル係数を予測して出力する色再現モデル係数予測手段と
を備えたことを特徴とする測色値予測装置。
【請求項２】
前記表示デバイスの画面を測定する測色計と、
前記デバイス制御値及び前記表示面積で定義される色再現特性把握用画像を取得する第１の画像取得手段と、
取得した前記色再現特性把握用画像を表示する第１の画像表示手段と、
表示された前記色再現特性把握用画像を前記測色計により測定することにより得られる測定値を入力する第１の画像測定手段と、
測定された前記色再現特性把握用画像の前記測色値を記憶する第１の測色値記憶手段と、
前記デバイス制御値及び前記表示面積で定義される表示画像レベルの異なる表示画像レベル特性把握用画像を取得する第２の画像取得手段と、
取得した表示画像レベル特性把握用画像を表示する第２の画像表示手段と、
表示された前記表示画像レベル特性把握用画像を前記測色計により測定することにより得られる測色値を入力する第２の画像測定手段と、
測定された前記表示画像レベル特性把握用画像の測色値を記憶する第２の測色値記憶手段と
をさらに備えたことを特徴とする請求項１に記載の測色値予測装置。
【請求項３】
表示デバイスのデバイス制御値及び表示面積で定義される色再現特性把握用画像の測色値から、前記表示デバイスの表示画像レベル算出に用いる表示画像レベル算出用係数を算出する表示画像レベル算出用係数算出手段と、
算出された前記表示画像レベル算出用係数と、前記デバイス制御値と、前記表示面積とから表示画像レベルを算出する第１の表示画像レベル算出手段と、
前記デバイス制御値及び前記表示面積で定義される前記表示画像レベルの異なる表示画像レベル特性把握用画像を作成する画像準備手段と、
前記表示画像レベル特性把握用画像の測色値から、前記表示画像レベルにおける色再現モデル係数を算出する色再現モデル係数算出手段と、
算出された前記色再現モデル係数から、実測を行っていない表示画像レベルにおける色再現モデル係数を予測して出力する色再現モデル係数予測手段と、
前記表示画像レベルを設定する表示画像レベル設定手段と、
前記設定した表示画像レベルの前記色再現モデル係数に基づいて、設定された表示画像レベルにおける表示画像の測色値に対するデバイス制御値を算出するデバイス制御値算出手段と、
算出された前記デバイス制御値から表示画像レベルを算出する第２の表示画像レベル算出手段と、
前記表示画像レベル設定手段により設定した表示画像レベルと、前記第２の表示画像レベル算出手段により算出された表示画像レベルを比較する表示画像レベル比較手段と、
前記表示画像レベル比較手段による比較結果に基づいて、前記表示画像レベル設定手段によるデバイス制御値算出の際の前記表示画像レベルを前記算出された表示画像レベルに設定し、前記表示画像レベル比較手段による比較結果が所定値以下になるまで前記デバイス制御値算出手段による前記デバイス制御値の算出を繰り返し行う表示画像レベル変更手段と
を備えたことを特徴とするデバイス制御値決定装置。
【請求項４】
表示デバイスのデバイス制御値及び表示面積で定義される色再現特性把握用画像の測色値から、前記表示デバイスの表示画像レベル算出に用いる表示画像レベル算出用係数を算出する表示画像レベル算出用係数算出ステップと、
算出された前記表示画像レベル算出用係数と、前記デバイス制御値と、前記表示面積とから表示画像レベルを算出する表示画像レベル算出ステップと、
前記デバイス制御値及び前記表示面積で定義される前記表示画像レベルの異なる表示画像レベル特性把握用画像を作成する画像準備ステップと、
前記表示画像レベル特性把握用画像の測色値から、前記表示画像レベルにおける色再現モデル係数を算出する色再現モデル係数算出ステップと、
算出された前記色再現モデル係数から、実測を行っていない表示画像レベルにおける色再現モデル係数を予測して出力する色再現モデル係数予測ステップと
を有することを特徴とする測色値予測方法。
【請求項５】
前記表示デバイスの画面を測色計によって測定する測色ステップと、
前記デバイス制御値及び前記表示面積で定義される色再現特性把握用画像を取得する第１の画像取得ステップと、
取得した前記色再現特性把握用画像を表示する第１の画像表示ステップと、
表示された前記色再現特性把握用画像を前記測色計により測定することにより得られる測定値を入力する第１の画像測定ステップと、
測定された前記色再現特性把握用画像の前記測色値を記憶する第１の測色値記憶ステップと、
前記デバイス制御値及び前記表示面積で定義される表示画像レベルの異なる表示画像レベル特性把握用画像を取得する第２の画像取得ステップと、
取得した表示画像レベル特性把握用画像を表示する第２の画像表示ステップと、
表示された前記表示画像レベル特性把握用画像を前記測色計により測定することにより得られる測色値を入力する第２の画像測定ステップと、
測定された前記表示画像レベル特性把握用画像の測色値を記憶する第２の測色値記憶ステップと
をさらに有することを特徴とする請求項４に記載の測色値予測方法。
【請求項６】
表示デバイスのデバイス制御値及び表示面積で定義される色再現特性把握用画像の測色値から、前記表示デバイスの表示画像レベル算出に用いる表示画像レベル算出用係数を算出する表示画像レベル算出用係数算出ステップと、
算出された前記表示画像レベル算出用係数と、前記デバイス制御値と、前記表示面積とから表示画像レベルを算出する第１の表示画像レベル算出ステップと、
前記デバイス制御値及び前記表示面積で定義される前記表示画像レベルの異なる表示画像レベル特性把握用画像を作成する画像準備ステップと、
前記表示画像レベル特性把握用画像の測色値から、前記表示画像レベルにおける色再現モデル係数を算出する色再現モデル係数算出ステップと、
算出された前記色再現モデル係数から、実測を行っていない表示画像レベルにおける色再現モデル係数を予測して出力する色再現モデル係数予測ステップと、
前記表示画像レベルを設定する表示画像レベル設定ステップと、
前記設定した表示画像レベルの前記色再現モデル係数に基づいて、設定された表示画像レベルにおける表示画像の測色値に対するデバイス制御値を算出するデバイス制御値算出ステップと、
算出された前記デバイス制御値から表示画像レベルを算出する第２の表示画像レベル算出ステップと、
前記表示画像レベル設定ステップにより設定した表示画像レベルと、前記第２の表示画像レベル算出ステップにより算出された表示画像レベルを比較する表示画像レベル比較ステップと、
前記表示画像レベル比較ステップによる比較結果に基づいて、前記表示画像レベル設定ステップによるデバイス制御値算出の際の前記表示画像レベルを前記算出された表示画像レベルに設定し、前記表示画像レベル比較ステップによる比較結果が所定値以下になるまで前記デバイス制御値算出ステップによる前記デバイス制御値の算出を繰り返し行う表示画像レベル変更ステップと
を有することを特徴とするデバイス制御値決定方法。
【発明の詳細な説明】
【技術分野】
【０００１】
本発明は、ディスプレイやプロジェクタ等の表示デバイスにおいて表示画像レベルによる色再現特性の変化を考慮して測色値を予測し、表示デバイスにおける表示画像の測色値及び画像面積が既知の画像に対するデバイス制御値を決定する装置及びその方法に関する。
【背景技術】
【０００２】
従来、表示デバイスとしてＣＲＴ（Cathode Ray Tube）モニタが広く用いられて来たが、現在では、ＣＲＴモニタに加え、液晶ディスプレイ、プラズマディスプレイ、プロジェクタなど多くの表示デバイスが存在し、様々な用途で用いられている。その中でも、プラズマディスプレイは、大画面化が容易であること、また、動画表示性能が優れていることなどが特徴であり、大型の情報表示やテレビ用途など広く用いられている表示デバイスの１つである。
【０００３】
プラズマディスプレイは、発光効率が十分に高くない為、表示面積が大きくかつ入力信号値（即ち、デバイス制御値）が高い値の画像（例えば、全白画像）を表示した場合、発熱が問題となる場合が有る。このため、プラズマディスプレイにおいては自動的に表示強度を低下させる機能（以下、ＡＰＣ（Auto Power Control）機能と称する）が備えられている。ＡＰＣ機能は、表示画像の各画素における信号値から表示画像のレベルを算出し、そのレベルが許容値より高い場合には、プラズマディスプレイの発光強度を変化させる維持発光パルス数を制御する機能である。この機能は一般に表示画像のレベル計算を容易にするため、逆ガンマ補正機能の後に配置される。また、同様の問題を生じるＣＲＴモニタなど他の表示デバイスにおいてもＡＰＣ機能を有する場合がある。
【０００４】
このようなＡＰＣ機能を有するディスプレイにおいては、表示画像面積やその入力信号値により表示画像のレベルが変化すると、ディスプレイの発光特性が変化することことなる。プラズマディスプレイの再現色予測方法として、非特許文献１の手法が提案されているが、この手法は、プラズマディスプレイの表示画像に対するＡＰＣ機能レベルの変化に注目し、表示画像における維持発光パルス数を入力値とする測色値予測する方法である。
【非特許文献１】Choi et.al, "Investigation of the colorimetric characteristics of PDP" AIC Colour 05-10th Congress of the International Colour Association(2005)
【発明の開示】
【発明が解決しようとする課題】
【０００５】
しかしながら、ＡＰＣ機能レベルや発光パルス数は、表示デバイスでの内部計算により算出される数値であり、表示画像レベルも含め、一般にユーザは知ることができない。このように、ＡＰＣ機能を有する表示デバイスにおいては、表示画像のレベルと色再現特性の関係を考慮しなければ、十分な精度で再現色の測色値を予測することは不可能である。また、所望の測色値となるよう画像を表示する際にも、表示画像のレベルを考慮して適切なデバイス制御値を決定しなければ、意図した画像を表示することはできないという問題がある。
【０００６】
本発明は、このような事情に鑑みてなされたもので、ディスプレイやプロジェクタ等の表示デバイスにおける表示画像レベルによる色再現特性の変化を考慮して測色値を予測する測色値予測装置と、この予測測色値を用いた表示画像の測色値及び面積が既知である画像に対するデバイス制御値を決定するデバイス制御値決定装置、及びその方法を提供することを目的とする。
【課題を解決するための手段】
【０００７】
本発明は、表示デバイスのデバイス制御値及び表示面積で定義される色再現特性把握用画像の測色値から、前記表示デバイスの表示画像レベル算出に用いる表示画像レベル算出用係数を算出する表示画像レベル算出用係数算出手段と、算出された前記表示画像レベル算出用係数と、前記デバイス制御値と、前記表示面積とから表示画像レベルを算出する表示画像レベル算出手段と、前記デバイス制御値及び前記表示面積で定義される前記表示画像レベルの異なる表示画像レベル特性把握用画像を作成する画像準備手段と、前記表示画像レベル特性把握用画像の測色値から、前記表示画像レベルにおける色再現モデル係数を算出する色再現モデル係数算出手段と、算出された前記色再現モデル係数から、実測を行っていない表示画像レベルにおける色再現モデル係数を予測して出力する色再現モデル係数予測手段とを備えたことを特徴とする。
【０００８】
本発明は、前記表示デバイスの画面を測定する測色計と、前記デバイス制御値及び前記表示面積で定義される色再現特性把握用画像を取得する第１の画像取得手段と、取得した前記色再現特性把握用画像を表示する第１の画像表示手段と、表示された前記色再現特性把握用画像を前記測色計により測定することにより得られる測定値を入力する第１の画像測定手段と、測定された前記色再現特性把握用画像の前記測色値を記憶する第１の測色値記憶手段と、前記デバイス制御値及び前記表示面積で定義される表示画像レベルの異なる表示画像レベル特性把握用画像を取得する第２の画像取得手段と、取得した表示画像レベル特性把握用画像を表示する第２の画像表示手段と、表示された前記表示画像レベル特性把握用画像を前記測色計により測定することにより得られる測色値を入力する第２の画像測定手段と、測定された前記表示画像レベル特性把握用画像の測色値を記憶する第２の測色値記憶手段とをさらに備えたことを特徴とする。
【０００９】
本発明は、表示デバイスのデバイス制御値及び表示面積で定義される色再現特性把握用画像の測色値から、前記表示デバイスの表示画像レベル算出に用いる表示画像レベル算出用係数を算出する表示画像レベル算出用係数算出手段と、算出された前記表示画像レベル算出用係数と、前記デバイス制御値と、前記表示面積とから表示画像レベルを算出する第１の表示画像レベル算出手段と、前記デバイス制御値及び前記表示面積で定義される前記表示画像レベルの異なる表示画像レベル特性把握用画像を作成する画像準備手段と、前記表示画像レベル特性把握用画像の測色値から、前記表示画像レベルにおける色再現モデル係数を算出する色再現モデル係数算出手段と、算出された前記色再現モデル係数から、実測を行っていない表示画像レベルにおける色再現モデル係数を予測して出力する色再現モデル係数予測手段と、前記表示画像レベルを設定する表示画像レベル設定手段と、前記設定した表示画像レベルの前記色再現モデル係数に基づいて、設定された表示画像レベルにおける表示画像の測色値に対するデバイス制御値を算出するデバイス制御値算出手段と、算出された前記デバイス制御値から表示画像レベルを算出する第２の表示画像レベル算出手段と、前記表示画像レベル設定手段により設定した表示画像レベルと、前記第２の表示画像レベル算出手段により算出された表示画像レベルを比較する表示画像レベル比較手段と、前記表示画像レベル比較手段による比較結果に基づいて、前記表示画像レベル設定手段によるデバイス制御値算出の際の前記表示画像レベルを前記算出された表示画像レベルに設定し、前記表示画像レベル比較手段による比較結果が所定値以下になるまで前記デバイス制御値算出手段による前記デバイス制御値の算出を繰り返し行う表示画像レベル変更手段とを備えたことを特徴とする。
【００１０】
本発明は、表示デバイスのデバイス制御値及び表示面積で定義される色再現特性把握用画像の測色値から、前記表示デバイスの表示画像レベル算出に用いる表示画像レベル算出用係数を算出する表示画像レベル算出用係数算出ステップと、算出された前記表示画像レベル算出用係数と、前記デバイス制御値と、前記表示面積とから表示画像レベルを算出する表示画像レベル算出ステップと、前記デバイス制御値及び前記表示面積で定義される前記表示画像レベルの異なる表示画像レベル特性把握用画像を作成する画像準備ステップと、前記表示画像レベル特性把握用画像の測色値から、前記表示画像レベルにおける色再現モデル係数を算出する色再現モデル係数算出ステップと、算出された前記色再現モデル係数から、実測を行っていない表示画像レベルにおける色再現モデル係数を予測して出力する色再現モデル係数予測ステップとを有することを特徴とする。
【００１１】
本発明は、前記表示デバイスの画面を測色計によって測定する測色ステップと、前記デバイス制御値及び前記表示面積で定義される色再現特性把握用画像を取得する第１の画像取得ステップと、取得した前記色再現特性把握用画像を表示する第１の画像表示ステップと、表示された前記色再現特性把握用画像を前記測色計により測定することにより得られる測定値を入力する第１の画像測定ステップと、測定された前記色再現特性把握用画像の前記測色値を記憶する第１の測色値記憶ステップと、前記デバイス制御値及び前記表示面積で定義される表示画像レベルの異なる表示画像レベル特性把握用画像を取得する第２の画像取得ステップと、取得した表示画像レベル特性把握用画像を表示する第２の画像表示ステップと、表示された前記表示画像レベル特性把握用画像を前記測色計により測定することにより得られる測色値を入力する第２の画像測定ステップと、測定された前記表示画像レベル特性把握用画像の測色値を記憶する第２の測色値記憶ステップとをさらに有することを特徴とする。
【００１２】
本発明は、表示デバイスのデバイス制御値及び表示面積で定義される色再現特性把握用画像の測色値から、前記表示デバイスの表示画像レベル算出に用いる表示画像レベル算出用係数を算出する表示画像レベル算出用係数算出ステップと、算出された前記表示画像レベル算出用係数と、前記デバイス制御値と、前記表示面積とから表示画像レベルを算出する第１の表示画像レベル算出ステップと、前記デバイス制御値及び前記表示面積で定義される前記表示画像レベルの異なる表示画像レベル特性把握用画像を作成する画像準備ステップと、前記表示画像レベル特性把握用画像の測色値から、前記表示画像レベルにおける色再現モデル係数を算出する色再現モデル係数算出ステップと、算出された前記色再現モデル係数から、実測を行っていない表示画像レベルにおける色再現モデル係数を予測して出力する色再現モデル係数予測ステップと、前記表示画像レベルを設定する表示画像レベル設定ステップと、前記設定した表示画像レベルの前記色再現モデル係数に基づいて、設定された表示画像レベルにおける表示画像の測色値に対するデバイス制御値を算出するデバイス制御値算出ステップと、算出された前記デバイス制御値から表示画像レベルを算出する第２の表示画像レベル算出ステップと、前記表示画像レベル設定ステップにより設定した表示画像レベルと、前記第２の表示画像レベル算出ステップにより算出された表示画像レベルを比較する表示画像レベル比較ステップと、前記表示画像レベル比較ステップによる比較結果に基づいて、前記表示画像レベル設定ステップによるデバイス制御値算出の際の前記表示画像レベルを前記算出された表示画像レベルに設定し、前記表示画像レベル比較ステップによる比較結果が所定値以下になるまで前記デバイス制御値算出ステップによる前記デバイス制御値の算出を繰り返し行う表示画像レベル変更ステップとを有することを特徴とする。
【発明の効果】
【００１３】
本発明によれば、表示デバイスにおける表示画像レベルによる測色値の変化の予測を、より少ない測定回数で実現できる。また、この予測測色値を用いて、測色値及び面積が既知の画像を表示する際に、表示デバイスの制御値を容易に決定することができるという効果が得られる。
【発明を実施するための最良の形態】
【００１４】
以下、本発明の一実施形態による表示画像レベルを考慮した測色値予測装置を図面を参照して説明する。図１は、同実施形態の構成を示すブロック図である。この図において、符号１は、測色値予測装置の処理動作を制御する制御部であり、パソコン等から構成する。符号２は、キーボード等で構成する入力部である。符号３は、測色値の予測対象であるディスプレイ装置（表示デバイス）である。符号４は、ディスプレイ装置３に表示されている画像の画面の色を測定する測色計であり、制御部１からの制御信号によって測定を開始し、測定データを制御部１に出力する。符号５は、色再現特性把握用及び、表示画像レベル特性把握用画像が予め記憶された画像記憶部である。符号６は、測色計４によって得られた測定データ（測色値）を記憶する測定データ記憶部である。
【００１５】
符号１１は、色再現特性把握用及び、表示画像レベル特性把握用画像を作成する画像作成部である。符号１２は、測定データ記憶部６に記憶された色再現特性把握用画像の測定データ（測色値）から、ディスプレイ装置３の表示画像レベル算出用係数を算出する表示画像レベル算出用係数算出部である。符号１３は、算出された表示画像レベル算出用係数、デバイス制御値及び表示面積から表示画像レベルを算出する表示画像レベル算出部である。符号１４は、測定データ記憶部６に記憶された表示画像レベル特性把握用画像の測定データ（測色値）から、表示画像レベルにおける色再現特性の変化を予測する色再現モデル係数を算出する色再現モデル係数算出部である。符号１５は、算出された色再現モデル係数から、実測を行っていない表示画像レベルにおける色再現モデル係数を予測する色再現モデル係数予測部である。
【００１６】
次に、図２を参照して、図１に示す測色値予測装置において、表示デバイスの表示画像レベルによる色再現特性の変化を考慮した測色値予測動作を説明する。まず、画像作成部１１は、色再現特性把握用画像の作成を行う。色再現特性把握用画像を作成する際には、デバイス制御値（８ｂｉｔであれば０−２５５の範囲、以下同様）及び、面積（縦、横のピクセル数）の指定を行う。例えば、解像度縦１０８０ピクセル，横１９２０ピクセルの表示デバイスにおいて、縦１０８ピクセル，横１９２ピクセルの大きさの測定色を画面中央に配置した画像を作成する。測定色は、１つのチャンネルのデバイス制御値のみ１５ステップずつ変化させた色とする。Ｒｅｄ，Ｇｒｅｅｎ，Ｂｌｕｅの各チャンネルのデバイス制御値をそれぞれｄｒ，ｄｇ，ｄｂとすると、Ｒｅｄチャンネルに関しては、｛ｄｒ，ｄｇ，ｄｂ｝＝｛（０，１５，３０，・・・，２５５），０，０｝である。その際、画面の残りの領域はＢｌａｃｋ（ｄｒ＝ｄｇ＝ｄｂ＝０）とする。画像作成部１１は、ここで作成した画像を画像記憶部５に記憶しておく。そして、作業者が、入力部２を操作して測定開始を指示すると、制御部１は、画像記憶部５記憶された画像データを読み出し（ステップＳ１）、読み出した画像データをディスプレイ装置３に表示する（ステップＳ２）。
【００１７】
次に、制御部１は、ディスプレイ装置３に色再現特性把握用画像が表示されている状態で、測色計４に対してディスプレイ装置３の測定を指示し（ステップＳ３）、測色計４が測定して出力した測定データ（測色値）を読み込み、この測定データを測定データ記憶部６に記憶する（ステップＳ４）。制御部１は、画像記憶部５に記憶された色再現特性把握用画像の数だけステップＳ１〜Ｓ４の動作を繰り返し実行する。
【００１８】
次に、表示画像レベル算出用係数算出部１２は、測定データ記憶部６に記憶された色再現特性把握用画像の測定データ（測色値）により、表示デバイスの表示画像レベル算出用係数を算出する（ステップＳ５）。表示画像レベル算出用係数算出部１２は、表示画像レベル算出用係数として各チャンネルのガンマ特性値を算出する。図４に、Ｒｅｄ，Ｇｒｅｅｎ，Ｂｌｕｅの各チャンネルのうち、Ｒｅｄチャンネルのデバイス制御値のみを変化させた色再現特性把握用画像の測定データ（測色値）を示す。横軸がデバイス制御値（０−２５５）であり、縦軸が各測定データの三刺激値Ｙをｄｒ＝２５５の三刺激値Ｙで正規化した値Ｒ’である。点線は、（１）式より算出したガンマ特性曲線であり、（１）式中のγＲ値がガンマ特性値である。また、Ｇｒｅｅｎ，Ｂｌｕｅチャンネルにおいても同様にガンマ特性値を算出する。
【数１】
2009111739.tif 000003
【００１９】
次に、表示画像レベル算出部１３は、算出された色再現係数、デバイス制御値より、表示画像レベルの算出を行う（ステップＳ６）。表示画像レベル（ＩｍａｇｅＬｅｖｅｌ）は、式（２）より算出する。（２）式中のｈ，ｗは、それぞれ表示デバイスの縦、横の解像度、γＲ，γＧ，γＢは、算出されたＲｅｄ，Ｇｒｅｅｎ，Ｂｌｕｅチャンネルのガンマ特性値である。（２）式においては、表示画像レベルは表示デバイスの全画素にＷｈｉｔｅ（ｄｒ＝ｄｇ＝ｄｂ＝２５５）を表示した場合は１００（％）となり、Ｂｌａｃｋを表示した場合には０（％）となる。
【数２】
2009111739.tif 000004
【００２０】
次に、画像作成部１１は、表示画像レベル特性把握用画像の作成を行う（ステップＳ７）。表示画像レベル特性把握用画像は、表示デバイスの制御値及び、表示面積で定義される点は色再現特性把握用画像と同様であるが、表示画像レベルを考慮し作成された画像という点で異なる。縦１０８ピクセル、横１９２ピクセルの大きさの測定色を画面中央に配置し、測定色は、色再現特性把握用画像と同様に、１つのチャンネルのデバイス制御値のみ１５ステップずつ変化させた色とする。その際に画面の残り領域のデバイス制御値を変化させることにより、（２）式より算出される表示画像レベルが異なる画像を作成する。例えば、表示画像レベルが１，１０，５０，９０％となるように測定色以外のデバイス制御値を指定した画像を各測定色に対して作成する。そして、作業者が、入力部２を操作して測定開始を指示すると、ステップＳ８〜ステップＳ１１はステップＳ１〜ステップＳ４と同様の作業によって作成された表示画像特性把握用画像の数だけ繰り返し行う。
【００２１】
次に、色再現モデル係数算出部１４は、記憶された表示画像レベル特性把握用画像の測定データ（測色値）から、各画像レベルにおける色再現モデルの係数（ＲＧＢとＸＹＺの相互変換を行うための係数）を算出する（ステップＳ１２）。例えば、表示画像レベル特性把握用画像の測色値から、文献「SpecificationICC.1:2004-10(Profileversion4.2.0.0)」に示されるＴＲＣ（Tone Reproduction Curve）／Ｍａｔｒｉｘモデルの係数を算出する。図５に図４と同様のフォーマットで表示画像レベル特性把握用画像の測定結果を示す。図５において、□、△、◇、○がそれぞれ表示画像レベル１，１０，５０，９０％の測定結果を示している。各画像レベルにおいて（１）式よりＴＲＣ／Ｍａｔｒｉｘモデルのガンマ特性係数を算出し、Ｇｒｅｅｎ，Ｂｌｕｅチャンネルのガンマ係数も同様に算出する。また、各表示画像レベルにおいて、各チャンネル最大発光時（即ち、デバイス制御値が２５５）の三刺激値を（３）式の行列係数とする。（３）式中の「Ｘｒ，ｍａｘ」，「Ｙｒ，ｍａｘ」，「Ｚｒ，ｍａｘ」がＲｅｄチャンネルにおける最大発光時の三刺激値であり、Ｇｒｅｅｎ，Ｂｌｕｅチャンネルも同様である。
【数３】
2009111739.tif 000005
【００２２】
次に、色再現モデル係数予測部１５は、算出された色再現モデル係数から実測を行っていない表示画像レベルにおける色再現モデル係数を予測する（ステップＳ１３）。画像レベル３０％の色再現モデル係数を算出する場合には、実測された表示画像レベル１０，５０％において算出された色再現モデル係数から、色再現モデル係数を予測する。Ｒｅｄチャンネルのガンマ特性値が表示画像レベル１０，５０％においてそれぞれ２．２，２．６であった場合、実測を行っていない表示画像レベル３０％におけるガンマ特性値は表示画像レベルに対して線形な関係を仮定し、２．４とする。また、図６は、図５の横軸を測定データ（三刺激値Ｙ）としたフォーマットで表示画像レベル特性把握用画像の測定結果を示した図である。チャンネル最大発光時の三刺激値に関しても同様に、それぞれ表示画像レベル１０，５０％における三刺激値の中間値（即ち、Ｙ＝７０）とする。他の三刺激値や、Ｇｒｅｅｎ，Ｂｌｕｅチャンネルにおいても同様に算出する。
【００２３】
このように、表示デバイスにおいて表示画像レベルによる色再現特性差を考慮することにより、ＡＰＣ機能を有する表示デバイスにおいても測色値の予測ができる。特に、異なる表示画像レベルにおける色再現特性を実測した色再現特性から予測することにより、必要最小限の測定で高い精度の測色値予測が可能となる。
【００２４】
次に、図３を参照して、図２に示す表示画像レベルを考慮して予測した測色値を用いた表示画像の測色値及び、表示面積が既知の画像に対するデバイス制御値決定動作を説明する。図３に示す動作が図２に示す動作と同一の場合には同一の符号を付し、その説明を省略する。図３に示す動作が図２と異なる点は、新たにステップＳ１４〜１６を設けた点である。
【００２５】
まず、制御部１は、測色値の予測値が得られた（ステップＳ１〜Ｓ１３）時点で、表示画像レベルを設定する（ステップＳ１４）。例えば、表示画像レベルを１％と設定する。続いて、制御部１は、設定した画像レベルにおける表示画像の測色値に対するデバイス制御値を算出する（ステップＳ１５）。設定した画像レベル１％の時の色再現モデル係数を用いて、（４），（５）式で表されるＴＲＣ／Ｍａｔｒｉｘモデルの逆変換を用いてデバイス制御値を算出する。
【数４】
2009111739.tif 000006
【数５】
2009111739.tif 000007
【００２６】
次に、制御部１は、算出されたデバイス制御値から表示画像の表示画像レベルを算出する（ステップＳ１６）。ステップ１５で算出されたデバイス制御値に対して、ステップＳ６と同様に（２）式を用いて画像レベルを算出する。
【００２７】
次に、制御部１は、ステップＳ１４において設定した表示画像レベルと、ステップＳ１６において算出された表示画像レベルの比較を行う（ステップＳ１７）。比較の結果、画像レベルが基準値以下（例えば、±３％）の場合は、動作を終了する。一方、基準値以上であった場合は、算出された表示画像レベルをステップ１４における画像レベルに設定する。算出された表示画像レベルが１０％であれば、ステップ１５における設定画像レベルを１０％とし、以下、ステップＳ１６〜Ｓ１７の動作をステップＳ１７における表示画像レベルの比較の結果が基準値以下となるまで繰り返し行う。
【００２８】
このように、表示デバイスにおいて表示画像レベルによる色再現特性の変化を考慮することにより、表示画像の測色値及び、表示面積が既知の画像に対するデバイス制御値が決定できる。また、前述した測色値予測方法は、液晶ディスプレイ、プラズマディスプレイ、プロジェクタなどの表示デバイスの測色値予測に適用することが可能である。
【００２９】
なお、前述した説明においては、表示画像レベル算出用係数及び、色再現モデル係数算出の際に、三刺激値Ｙ（輝度）を用いたが、その限りではなく、他の測色値を用いても良い。また、色再現特性把握用及び、表示画像レベル特性把握用画像の測定色に１つのチャンネルのデバイス制御値のみ１５ステップずつ変化させた色を用いたが、その限りではなく、表示画像レベル算出用係数や色再現モデル係数を決定する為に必要となる測定色を用いても良い。
【００３０】
また、色再現モデル係数の予測値を線形補間により算出したが、その限りではなく、実測した色再現モデル係数に対する重み付けや非線形な変化を仮定するなど、他の予測方法を用いても良い。また、図１における動作機能を実現する為の制御部は、複数のパソコン等から構成されても良い。例えば、画像準備、画像表示、画像測定、測色値記憶を行う各機能と、表示画像レベル算出用係数算出、色再現モデル係数算出、色再現モデル係数予測の各機能とが、異なるパソコン等から構成される装置において実現されても良い。
【００３１】
また、図１における処理部の機能を実現するためのプログラムをコンピュータ読み取り可能な記録媒体に記録して、この記録媒体に記録されたプログラムをコンピュータシステムに読み込ませ、実行することにより測色値予測処理及びデバイス制御値決定処理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００３２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【産業上の利用可能性】
【００３３】
本発明の活用例としては、液晶ディスプレイ、プラズマディスプレイ、プロジェクタなどの表示デバイスの測色値予測に用いることができる。また、表示画像の測色値及び、画像面積が既知の画像に対するデバイス制御値決定に用いることができる。
【図面の簡単な説明】
【００３４】
【図１】本発明の一実施形態の構成を示すブロック図である。
【図２】測色値予測の動作を示すフローチャートである。
【図３】デバイス制御値決定の動作を示すフローチャートである。
【図４】表示画像レベル算出用係数の算出例である。
【図５】色再現モデル係数の予測例である。
【図６】色再現モデル係数の予測例である。
【符号の説明】
【００３５】
１・・・制御部、１１・・・画像作成部、１２・・・表示画像レベル算出用係数算出部、１３・・・表示画像レベル算出部、１４・・・色再現モデル係数算出部、１５・・・色再現モデル係数予測部、２・・・入力部、３・・・ディスプレイ装置、４・・・測色計、５・・・画像記憶部、６・・・測定データ記憶部
【図１】
2009111739.tif 000008
【図２】
2009111739.tif 000009
【図３】
2009111739.tif 000010
【図４】
2009111739.tif 000011
【図５】
2009111739.tif 000012
【図６】
2009111739.tif 000013